(57)【要約】  人工爪又は指先の爪等の被装飾体上に短波長光硬化樹脂を塗布する際に、短波長光硬化樹脂の塗布具合や色彩を判断しやすい光照明システムを提供する。  短波長光照射部材と、擬似自然光照射部材を有し、短波長光照射部材は、筐体部内に短波長光照射光源を有し、筐体部は、その内部に人工爪又は指先を挿入可能な開口部を備え、短波長光照射光源は、開口部から人工爪又は指先を筐体部内に挿入した状態で、短波長光硬化樹脂に対して波長が４１０ｎｍ未満の短波長光を照射して短波長光硬化樹脂を硬化可能であり、擬似自然光照射部材は、面状光源を有し、面状光源は、筐体部の外部に位置し、拡散光を照射可能である構成とする。
2017191769.tif 000002
【特許請求の範囲】
【請求項１】
短波長光硬化樹脂を硬化させて人工爪又は指先の爪上にネイルを形成する光照射システムであって、
短波長光照射部材と、擬似自然光照射部材を有し、
前記短波長光照射部材は、筐体部内に短波長光照射光源を有し、
前記筐体部は、その内部に前記人工爪又は指先を挿入可能な開口部を備え、
前記短波長光照射光源は、前記開口部から短波長光硬化樹脂が塗布された前記人工爪又は指先を前記筐体部内に挿入した状態で、前記短波長光硬化樹脂に対して波長が４１０ｎｍ未満の短波長光を照射して前記短波長光硬化樹脂を硬化可能であり、
前記擬似自然光照射部材は、面状光源を有し、
前記面状光源は、前記筐体部の外部に位置し、拡散光を照射可能であることを特徴とする光照射システム。
【請求項２】
前記筐体部は、その外面に前記人工爪又は指先を載置可能な載置部を有し、
前記面状光源は、前記人工爪又は指先を前記載置部に載置した状態において、拡散光を前記人工爪又は指先の爪に照射可能であることを特徴とする請求項１に記載の光照射システム。
【請求項３】
前記擬似自然光照射部材は、少なくとも２つの面状光源を有し、
前記２つの面状光源のうち、一方の面状光源は、他方の面状光源とは異なる方向から前記短波長光硬化樹脂に拡散光を照射可能であることを特徴とする請求項１又は２に記載の光照射システム。
【請求項４】
前記面状光源は、ＪＩＳ  Ｚ  ８７２６に準じた平均演色評価数Ｒａが８０以上であることを特徴とする請求項１乃至３のいずれかに記載の光照射システム。
【請求項５】
前記短波長光硬化樹脂は、紫外光硬化樹脂であり、
前記面状光源の拡散光は、３５０ｎｍ未満１０００ｎｍ以上の波長範囲の光を含まないことを特徴とする請求項１乃至４のいずれかに記載の光照射システム。
【請求項６】
前記短波長光硬化樹脂は、紫外光硬化樹脂であり、
前記短波長光照射光源は、波長が３５０ｎｍ未満の紫外光を照射可能であることを特徴とする請求項１乃至５のいずれかに記載の光照射システム。
【請求項７】
前記筐体部の天面又はその上方に前記人工爪又は指先を載置可能な載置部を有し、
前記擬似自然光照射部材は、前記載置部と空間を挟んで対向する対向部を有し、
前記対向部は、前記面状光源を支持しており、
前記空間は、前記人工爪又は指先を挿入可能であり、
前記面状光源は、前記人工爪又は指先を前記空間に挿入した状態で、前記人工爪又は指先の爪に対して拡散光を照射可能であることを特徴とする請求項１乃至６のいずれかに記載の光照射システム。
【請求項８】
前記擬似自然光照射部材は、少なくとも２つの面状光源と、前記対向部と、前記対向部を支持する脚部を有し、
前記対向部は、前記２つの面状光源のうち一方の面状光源を支持しており、
前記脚部は、前記２つの面状光源のうち他方の面状光源を支持しており、
前記２つの面状光源は、前記人工爪又は指先を前記空間に挿入した状態で、前記人工爪又は指先の爪に対して拡散光を照射可能であることを特徴とする請求項７に記載の光照射システム。
【請求項９】
前記面状光源は、前記対向部に対して着脱可能であることを特徴とする請求項７又は８に記載の光照射システム。
【請求項１０】
短波長光硬化樹脂を硬化させて被装飾体上に装飾物を形成する光照射システムであって、
短波長光照射部材と、擬似自然光照射部材を有し、
前記短波長光照射部材は、筐体部内に短波長光照射光源を有し、
前記筐体部は、その内部に前記被装飾体を挿入可能な開口部を備え、
前記短波長光照射光源は、前記開口部から前記被装飾体を前記筐体部内に挿入した状態で、前記短波長光硬化樹脂に対して波長が４１０ｎｍ未満の短波長光を照射して前記短波長光硬化樹脂を硬化可能であり、
前記擬似自然光照射部材は、面状光源を有し、
前記面状光源は、前記筐体部の外部に位置し、拡散光を照射可能であることを特徴とする光照射システム。
【請求項１１】
前記擬似自然光照射部材は、識別スペクトルと、擬似自然光形成スペクトルを合成した合成スペクトルの光を動物又は人間の肌に照射可能であり、
前記識別スペクトルは、４８０〜５８０ｎｍの青緑から緑系波長範囲において、最大強度ＭＡＸ及び最小強度ＭＩＮを有し、かつ、下記（数式１）で示される照射強度の変動範囲が０．５以下であり、
前記擬似自然光形成スペクトルは、４３０〜４８０ｎｍの青系波長範囲及び５８０〜６８０ｎｍの赤系波長範囲の各々の波長範囲において、各々１つのピークを含んでおり、さらに前記赤系波長範囲の最大ピーク強度ＰＥＡＫが下記（数式２）を満たすことを特徴とする請求項１乃至１０のいずれかに記載の光照射システム。
【数１】
2017191769.tif 000007
【数２】
2017191769.tif 000008
【請求項１２】
拡散光を照射可能な面状光源を１又は複数有する擬似自然光照射部材を備え、前記擬似自然光照射部材は、識別スペクトルと、擬似自然光形成スペクトルを合成した合成スペクトルの光を動物又は人間の肌に照射可能であり、
前記識別スペクトルは、４８０〜５８０ｎｍの青緑から緑系波長範囲において、最大強度ＭＡＸ及び最小強度ＭＩＮを有し、かつ、下記（数式１）で示される照射強度の変動範囲が０．５以下であり、
前記擬似自然光形成スペクトルは、４３０〜４８０ｎｍの青系波長範囲及び５８０〜６８０ｎｍの赤系波長範囲の各々の波長範囲において、各々１つのピークを含んでおり、さらに前記赤系波長範囲の最大ピーク強度ＰＥＡＫが下記（数式２）を満たすことを特徴とする光照射システム。
【数３】
2017191769.tif 000009
【数４】
2017191769.tif 000010
【請求項１３】
筐体部内に短波長光照射光源を備え、人工爪又は指先の爪上に塗布された短波長光硬化樹脂を硬化させる短波長光照射部材に対して取り付けられる擬似自然光照射部材であって、
前記短波長光照射部材は、前記筐体部の外面に前記人工爪又は指先を載置可能な載置部が設けられたものであり、
前記擬似自然光照射部材は、面状光源を有し、
前記面状光源は、前記人工爪又は指先を前記載置部に載置した状態において、拡散光を前記人工爪又は指先の爪に照射可能であることを特徴とする擬似自然光照射部材。
【請求項１４】
筐体部内に短波長光照射光源を備え、人工爪又は指先の爪上に塗布された短波長光硬化樹脂を硬化させる短波長光照射部材に対して取り付けられる擬似自然光照射部材であって、
前記擬似自然光照射部材は、前記筐体部の外部に少なくとも２つの面状光源を有し、
前記２つの面状光源のうち、一方の面状光源は、他方の面状光源とは異なる方向から前記短波長光硬化樹脂に拡散光を照射可能であることを特徴とする擬似自然光照射部材。
【発明の詳細な説明】
【技術分野】
【０００１】
本発明は、ネイルサロン等において、ネイル等の施術で用いられる光照射システムに関する。また、本発明は、当該光照射システムを構成する擬似自然光照射部材に関する。さらに、本発明は、動物や人間の肌色を正確に識別可能に擬似自然光照射部材に関する。
【背景技術】
【０００２】
従来からネイルサロンでは、ネイリスト等の施術者が被施術者の肌の色に合わせてＵＶ硬化樹脂の色を選定し、被施術者の爪にネイルを施す。
詳説すると、ネイリスト等の施術者は、ＬＥＤ等の照明スタンド等を用いて施術者の爪に直射光をあてて指元を明るくし、被施術者の肌の色に合わせて選定した色のＵＶ硬化樹脂を被施術者の爪上に塗布する。被施術者の爪の所望の範囲にＵＶ硬化樹脂を塗り終えると、専用のＵＶ照射装置に爪を入れて、爪上に塗布されたＵＶ硬化樹脂にＵＶ光を照射する。そして、被施術者の爪上のＵＶ硬化樹脂が硬化すると、必要に応じてＵＶ硬化樹脂の色を選定し、ネイルの色や模様を調整していく。
【先行技術文献】
【特許文献】
【０００３】
【特許文献１】特開２０１３−２４８０３４号公報
【特許文献２】特開２０１６−０２４９５６号公報
【発明の概要】
【発明が解決しようとする課題】
【０００４】
しかしながら、ＬＥＤは、指向性の強い硬い光であるので、ＬＥＤ光源を使用して指元を照らすと、局所的に光が集中して当たってしまい、光の照射角度によって実際の色と異なる色に見えるおそれがある。そのため、施術者は、被施術者に施した実際のネイルの色彩等が判断しにくく、次に塗るＵＶ硬化樹脂の選定が困難であるという問題があった。
また、施術者は、上記したように、被施術者の肌の色と比較しながら、ネイルの色や模様、色合い等を決めていくため、施術者の肉眼で実際の肌の色を正確に識別する必要がある。【０００５】
そこで、本発明の目的の一つは、人工爪又は指先の爪等の被装飾体上に短波長光硬化樹脂を塗布する際に、短波長光硬化樹脂の塗布具合や色彩を判断しやすく、また人工爪又は指先の爪等の被装飾体上の短波長光硬化樹脂を硬化できる光照明システム及び擬似自然光照射部材を提供する。本発明の目的の一つは、従来に比べて動物や人間の肌の色を正確に識別できる光照明システム及び擬似自然光照射部材を提供する。
【課題を解決するための手段】
【０００６】
上記した課題を解決するための本発明の一つの様相は、短波長光硬化樹脂を硬化させて人工爪又は指先の爪上にネイルを形成する光照射システムであって、短波長光照射部材と、擬似自然光照射部材を有し、前記短波長光照射部材は、筐体部内に短波長光照射光源を有し、前記筐体部は、その内部に前記人工爪又は指先を挿入可能な開口部を備え、前記短波長光照射光源は、前記開口部から短波長光硬化樹脂が塗布された前記人工爪又は指先を前記筐体部内に挿入した状態で、前記短波長光硬化樹脂に対して波長が４１０ｎｍ未満の短波長光を照射して前記短波長光硬化樹脂を硬化可能であり、前記擬似自然光照射部材は、面状光源を有し、前記面状光源は、前記筐体部の外部に位置し、拡散光を照射可能である光照射システムである。【０００７】
ここでいう「指先の爪」とは、被施術者の指先に設けられた被施術者の爪又は人工爪をいう。【０００８】
本様相によれば、擬似自然光照射部材の面状光源は、短波長光照射部材の筐体部の外部に位置し、拡散光を照射可能であるので、人工爪又は指先の爪上に短波長光硬化樹脂を塗布する際に柔らかい光で人工爪又は指先の爪の付近を照らすことができる。そのため、拡散光の照射角度によって見え方に違いがでにくく、短波長光硬化樹脂の塗布具合や色彩を判断しやすい。
また、本様相によれば、人工爪又は指先の爪上に塗布された短波長光硬化樹脂を硬化させる場合には、人工爪又は指先を開口部から筐体部内部に挿入して短波長光照射光源から短波長光を照射させることによって、短波長光硬化樹脂を硬化できるので、一連の動作でネイルを形成することができる。【０００９】
好ましい様相は、前記筐体部は、その外面に前記人工爪又は指先を載置可能な載置部を有し、前記面状光源は、前記人工爪又は指先を前記載置部に載置した状態において、拡散光を前記人工爪又は指先の爪に照射可能であることである。【００１０】
本様相によれば、施術者は塗布作業を行いやすい。【００１１】
上記した様相は、前記面状光源は、前記人工爪又は指先を前記載置部に載置した状態において、前記人工爪又は指先の爪の天地方向の投影面上に配されていることが好ましい。【００１２】
この様相によれば、施術者の手元の影が人工爪又は指先の爪に重なりにくく、影の影響をより少なくできる。【００１３】
好ましい様相は、前記擬似自然光照射部材は、少なくとも２つの前記面状光源を有し、前記２つの面状光源のうち、一方の面状光源は、他方の面状光源とは異なる方向から前記短波長光硬化樹脂に拡散光を照射可能であることである。【００１４】
本様相によれば、２方向から拡散光を照射可能であるので、施術者の手元に影ができにくく、施術者の手元の影によって人工爪又は指先の爪が隠れにくい。そのため、施術者は施術しやすい。【００１５】
上記した様相は、前記ネイルは、ジェルネイル、スカルプチュア、ネイルポリッシュ、及びジェルポリッシュのいずれかであることが好ましい。【００１６】
好ましい様相は、前記面状光源は、ＪＩＳ  Ｚ  ８７２６に準じた平均演色評価数Ｒａが８０以上であることである。【００１７】
本様相によれば、面状光源の演色性が高いので、太陽光を人工爪又は指元に照射したときの色に近い状態で、人工爪又は指先の爪上の短波長光硬化樹脂や硬化したネイルを確認できる。そのため、実際の色を配慮した装飾が可能である。また、面状光源の演色性が高いので、目に優しく、人工爪又は指先の爪上の短波長光硬化樹脂や硬化したネイルを見ることによる施術者等の目の疲れを低減することができる。【００１８】
好ましい様相は、前記短波長光硬化樹脂は、紫外光硬化樹脂であり、前記面状光源の拡散光は、３５０ｎｍ未満１０００ｎｍ以上の波長範囲の光を含まないことである。【００１９】
本様相によれば、面状光源の拡散光が３５０ｎｍ未満の波長の光を含まないので、人工爪又は指先の爪へ短波長光硬化樹脂を塗布する際に短波長光硬化樹脂が硬化しにくく、施術者等の目にも優しい。
本様相によれば、面状光源の拡散光が１０００ｎｍ以上の波長の光を含まないので、拡散光を照射しても、熱線放射により人工爪又は指先の爪が高温になりにくく、被施術者が火傷することを防止できる。また、施術者は、面状光源の拡散光によって、手元が熱くなりにくいため、快適に施術できる。【００２０】
好ましい様相は、前記短波長光硬化樹脂は、紫外光硬化樹脂であり、前記短波長光照射光源は、波長が３５０ｎｍ未満の紫外光を照射可能であることである。【００２１】
上記した様相は、前記面状光源は、有機ＥＬパネルであることが好ましい。【００２２】
好ましい様相は、前記筐体部の天面又はその上方に前記人工爪又は指先を載置可能な載置部を有し、前記擬似自然光照射部材は、前記載置部と空間を挟んで対向する対向部を有し、前記対向部は、前記面状光源を支持しており、前記空間は、前記人工爪又は指先を挿入可能であり、前記面状光源は、前記人工爪又は指先を前記空間に挿入した状態で、前記人工爪又は指先の爪に対して拡散光を照射可能であることである。【００２３】
本様相によれば、載置部と対向部の間の空間に人工爪又は指先を挿入して、拡散光を照射可能であるので、面状光源を支持する対向部の影が人工爪又は指先の爪に重なりにくく、影の影響を受けにくい。【００２４】
好ましい様相は、前記擬似自然光照射部材は、少なくとも２つの面状光源と、前記対向部と、前記対向部を支持する脚部を有し、前記対向部は、前記２つの面状光源のうち一方の面状光源を支持しており、前記脚部は、前記２つの面状光源のうち他方の面状光源を支持しており、前記２つの面状光源は、前記人工爪又は指先を前記空間に挿入した状態で、前記人工爪又は指先の爪に対して拡散光を照射可能であることである。【００２５】
本様相によれば、面状光源を支持する対向部及び脚部の影が人工爪又は指先の爪に重なりにくく、影の影響を受けにくい。【００２６】
好ましい様相は、前記一方の面状光源は、前記対向部に対して着脱可能であることである。【００２７】
本様相によれば、メンテナンス等の際に面状光源の交換が容易である。【００２８】
本発明の一つの様相は、短波長光硬化樹脂を硬化させて被装飾体上に装飾物を形成する光照射システムであって、短波長光照射部材と、擬似自然光照射部材を有し、前記短波長光照射部材は、筐体部内に短波長光照射光源を有し、前記筐体部は、その内部に前記被装飾体を挿入可能な開口部を備え、前記短波長光照射光源は、前記開口部から前記被装飾体を前記筐体部内に挿入した状態で、前記短波長光硬化樹脂に対して波長が４１０ｎｍ未満の短波長光を照射して前記短波長光硬化樹脂を硬化可能であり、前記擬似自然光照射部材は、面状光源を有し、前記面状光源は、前記筐体部の外部に位置し、拡散光を照射可能である光照射システムである。【００２９】
本様相によれば、被装飾体上に短波長光硬化樹脂を塗布する際に柔らかい光で被装飾体の付近を照らすことができる。そのため、拡散光の照射角度によって見え方に違いがでにくく、短波長光硬化樹脂の塗布具合や色を判断しやすい。
また、本様相によれば、被装飾体上に塗布された短波長光硬化樹脂を硬化させる場合には、被装飾体を開口部から筐体部内部に挿入して短波長光照射光源から短波長光を照射させることによって、短波長光硬化樹脂を硬化させてネイルを形成することができる。【００３０】
ところで、最近、高演色性の光源として有機ＥＬ素子を含む光源が注目されている。例えば特許文献２には、陰極と陽極との間に、有機化合物からなる発光層を含む複数の発光ユニットを有する有機ＥＬ素子が開示されている。そして、特許文献２によると、当該複数の発光ユニットが発光することで得られる白色光は、３８０〜７８０ｎｍの波長域に亘って連続した発光スペクトルＳを有し、且つ、この発光スペクトルＳにおいて、６００〜７８０ｎｍの赤色波長域Ｒに１つのピーク波長ｐ１と、４９０〜６００ｎｍの緑色波長域Ｇに２つのピーク波長ｐＸ，ｐＹと、３８０〜４９０ｎｍの青色波長域Ｂに２つのピーク波長ｐ３，ｐ４とを有している。
このようなスペクトルをもつ有機ＥＬ素子は、広範囲に亘る色温度及び高い演色性を有した白色光を得ることができるので、特に照明装置の光源として好適とされている。【００３１】
特許文献２の有機ＥＬ素子は、高演色性の白色光を拡散光として放射する光源として優れており、ネイルの色彩等を判断し易い照明システムの光源として魅力的ではある。
しかしながら、前述の「青色波長域Ｂに２つのピーク波長ｐ３，ｐ４とを有する」といった複雑な構成をもつので、例えば、被施術者の肌の色に合わせてＵＶ硬化樹脂の色を選定しようとする際等に、肌の色を識別するための施術者の非常に高い熟練を不要とし、施術者や機体差の影響なく簡単な構成で肌の色を明確かつ高い認識性で把握するのには適しておらず、改善が必要である。【００３２】
そこで、美容や医療の分野で重要性が増すと考えられ、今後需要の高まりが予想される、肌の色を明確かつ明瞭に認識可能であって、従来に比べて簡単な構成の光照射システムとするべく、本発明者らは、人間の肌の光反射特性につき検討した。その結果、肌に含まれるメラニン、及び酸化ヘモグロビンの光反射特性に対応する特定のスペクトルを照射可能な光照射システムとすることが重要であることを見出し、本発明の一つの様相として完成するに至った。詳述すると以下の通りである。【００３３】
図１１のグラフは、フィンランド人（白人）、ネパール人（黄色人）、及びアフリカ人（黒人）のそれぞれの手のひらの反射スペクトルであり、K.S.Bersha  et  al.,  SPECTRAL  IMAGING  AND  ANALYSIS  OF  HUMAN  SKIN  (Univ.  Eastern  Finland  JUN2010,  CIMET)のデータをプロットしたものである。図１１のグラフでは、フィンランド人（白人）を「○」、ネパール人（黄色人）を「△」、アフリカ人（黒人）を「×」で示している。
図１１から読み取れるように、肌の色の差は、４８０ｎｍ未満の波長範囲（短波長域）及び５８０ｎｍを越える波長範囲（長波長域）では発生しているが安定していない。それに対して、４８０ｎｍ以上５８０ｎｍ以下の波長範囲では比較的安定している。  このような結果となる原因は、酸化ヘモグロビンを実線、メラニンを破線で示した相対的反射スペクトルを表す図１２のグラフから明らかである。すなわち、肌中での酸化ヘモグロビン濃度が高いことは、血色が良いことに対応するが、５８０ｎｍを超える長波長域では高反射率化し、４８０ｎｍ未満の短波長域では高吸収率化する。これらのことから、酸化ヘモグロビン濃度の濃度差の影響は、不安定化し不明瞭化すると考えられる。酸化ヘモグロビン濃度の濃度差の影響が安定して大きく観察されるのは、中反射率・中吸収率を維持している４８０ｎｍ〜５８０ｎｍ範囲と考えられる。  また、肌中のメラニン濃度は、色の濃さに対応するが、４８０ｎｍ未満の短波長域では高吸収率であり、メラニン濃度の濃度差の影響は、不明瞭化し、最も濃度差の影響が大きく出るのは、中反射率となる４８０ｎｍ〜５８０ｎｍの波長範囲と考えられる。【００３４】
以上のことから、肌の色の差異、特に医療関係の血色状態及び美容関係の色の濃淡に関する差異を最明瞭に観察するためには、４８０ｎｍ以上５８０ｎｍ以下の波長範囲で安定したスペクトルをもつ光の照射が必要であり、かつ、当該スペクトルは４８０ｎｍ未満の波長域（短波長域）及び５８０ｎｍを超える波長域（長波長域）において単純なスペクトル構造を有することが望ましい。すなわち、前記スペクトルは、４８０ｎｍ未満の波長域及び５８０ｎｍを超える波長域において、極大値の数が少ないこと、言い換えればピークの個数が少ないことが、明確な前記差異の認識のためには望ましいと考えられる。【００３５】
このような考察の結果、導き出された本発明の一つの様相は、拡散光を照射可能な面状光源を１又は複数有する擬似自然光照射部材を備え、前記擬似自然光照射部材は、識別スペクトルと、擬似自然光形成スペクトルを合成した合成スペクトルの光を人間の肌に照射可能であり、前記識別スペクトルは、４８０〜５８０ｎｍの青緑から緑系波長範囲において、最大強度ＭＡＸ及び最小強度ＭＩＮを有し、かつ、下記（数式１）で示される照射強度の変動範囲が０．５以下であり、前記擬似自然光形成スペクトルは、４３０〜４８０ｎｍの青系波長範囲及び５８０〜６８０ｎｍの赤系波長範囲の各々の波長範囲において、各々１つのピークを含んでおり、さらに前記赤系波長範囲の最大ピーク強度ＰＥＡＫが下記（数式２）を満たす光照射システムである。
【数１】
2017191769.tif 000003
【数２】
2017191769.tif 000004
【００３６】
本様相によれば、メラニン及び酸化ヘモグロビンの反射特性に対応する４８０ｎｍ〜５８０ｎｍ範囲の強度が安定した強いスペクトルをもち、簡便かつ単純なスペクトル構成をとる白色光を照射可能である。そのため、自然光下の人間の肌色を明確かつ明瞭に高認識できる。本様相によれば、例えば、ネイリストが肌の色に応じネイルジェル色の選択をする際には、肌の色を明瞭に認識でき、より美しくネイル装飾を行うことが可能となる。また、例えば、医療現場であれば、看護師の患者容態の目視での判断精度の向上が可能となる。【００３７】
上記した様相は、前記面状光源のうち、一の面状光源は、有機ＥＬパネルであって、かつ、そのＣＩＥ１３．３に準ずる演色評価数ＣＲＩが８０以上であり、さらに、前記拡散光の光照射スペクトルにおける４８０ｎｍにおける強度Ａ（Ｗ／ｎｍ）が５８０ｎｍにおける強度Ｂ（Ｗ／ｎｍ）の０．８倍以上１．２倍以下であることが好ましい。【００３８】
本様相によれば、肌色の認識性をより向上できる。【００３９】
上記した様相は、前記一の面状光源の有機ＥＬパネルは、前記擬似自然光形成スペクトルを形成する有機ＥＬ素子を含み、前記有機ＥＬ素子は、陽極電極層と陰極電極層との間に、互いに接続層を介して電気的に直列接続された３つの発光ユニットを含んでおり、前記接続層は、陽極側に接する発光ユニットに電子を注入し、かつ、陰極側に接する発光ユニットに正孔を注入するものであり、前記３つの発光ユニットのうち、第１の発光ユニットは、前記青系波長範囲のピークを有する発光スペクトルを有し、第２の発光ユニットは、４６０〜５３０ｎｍの波長範囲に１つの極大強度であるピークを有する発光スペクトルを有し、第３の発光ユニットは、前記赤系波長範囲のピーク、及び５３０〜５８０ｎｍの緑色波長範囲に１つの極大強度をとるピークを有する発光スペクトルを有することが好ましい。【００４０】
上記した様相は、第２の発光ユニットは、４８０〜５３０ｎｍの青緑波長範囲に１つの極大強度であるピークを有する発光スペクトルを有することが好ましい。【００４１】
この様相によれば、１枚の有機ＥＬパネルを用いるだけで、肌色の高認識性が確保可能となる。【００４２】
上記した様相は、前記擬似自然光照射部材は、少なくとも２つの面状光源を有し、前記２つの面状光源のうち、一方の面状光源は、前記青系波長範囲のピーク及び前記赤系波長範囲のピークを有するスペクトルの拡散光を照射可能であり、他方の面状光源は、前記青緑から緑系波長範囲に１つの極大強度であるピークを有するスペクトルの拡散光を照射可能であることが好ましい。【００４３】
この様相によれば、肌色認識性を調整しつつ照明可能となる。【００４４】
上記した様相は、短波長光硬化樹脂を硬化させて人工爪又は指先の爪上にネイルを形成する光照射システムであり、短波長光照射部材を有し、前記短波長光照射部材は、筐体部内に短波長光照射光源を有し、前記筐体部は、その内部に前記人工爪又は指先を挿入可能な開口部を備え、前記短波長光照射光源は、前記開口部から前記人工爪又は指先を前記筐体部内に挿入した状態で、前記短波長光硬化樹脂に対して波長が４１０ｎｍ未満の短波長光を照射して前記短波長光硬化樹脂を硬化可能であり、前記面状光源は、前記筐体部の外部に位置することが好ましい。【００４５】
この様相によれば、人工爪又は指先の爪等の被装飾体上に短波長光硬化樹脂を塗布する際に短波長光硬化樹脂の塗布具合や色彩を判断しやすく、また人工爪又は指先の爪等の被装飾体上の短波長光硬化樹脂を硬化できる。【００４６】
本発明の一つの様相は、筐体部内に短波長光照射光源を備え、人工爪又は指先の爪上に塗布された短波長光硬化樹脂を硬化させる短波長光照射部材に対して取り付けられる擬似自然光照射部材であって、前記短波長光照射部材は、前記筐体部の外面に前記人工爪又は指先を載置可能な載置部が設けられたものであり、前記擬似自然光照射部材は、面状光源を有し、前記面状光源は、前記人工爪又は指先を前記載置部に載置した状態において、拡散光を前記人工爪又は指先の爪に照射可能である擬似自然光照射部材である。【００４７】
本様相によれば、人工爪又は指先の爪上に短波長光硬化樹脂を塗布する際に柔らかい光で人工爪又は指先の爪の付近を照らすことができる。そのため、拡散光の照射角度によって見え方に違いがでにくく、短波長光硬化樹脂の塗布具合や色を判断しやすい。
また本様相によれば、短波長光照射部材の筐体の外面に形成された載置部に人工爪又は指先を載置した状態で面状光源から拡散光を照射できるので、施術者が作業しやすい。【００４８】
本発明の一つの様相は、筐体部内に短波長光照射光源を備え、人工爪又は指先の爪上に塗布された短波長光硬化樹脂を硬化させる短波長光照射部材に対して取り付けられる擬似自然光照射部材であって、前記擬似自然光照射部材は、前記筐体部の外部に少なくとも２つの面状光源を有し、前記２つの面状光源のうち、一方の面状光源は、他方の面状光源とは異なる方向から前記短波長光硬化樹脂に拡散光を照射可能である擬似自然光照射部材である。【００４９】
本様相によれば、人工爪又は指先の爪上に短波長光硬化樹脂を塗布する際に柔らかい光で人工爪又は指先の爪の付近を照らすことができる。そのため、拡散光の照射角度によって見え方に違いがでにくく、短波長光硬化樹脂の塗布具合や色を判断しやすい。
本様相によれば、２方向から拡散光を照射可能であるため、施術者の手元に影ができにくく、施術者の手元の影によって人工爪又は指先の爪が隠れにくいので、施術者が施術しやすい。【００５０】
上記した様相は、自然光下の人間の肌の色を高認識せしめる為の照明光を、前記肌に照射可能な光照射システムであって、擬似自然光照射部材を有し、前記擬似自然光照射部材は、面状光源を有し、前記面状光源は、拡散光を照射可能であり、前記擬似自然光照射部材は、青緑から緑系波長範囲（４８０〜５８０ｎｍ）において、最大強度ＭＡＸ（Ｗ／ｎｍ）、及び最小強度ＭＩＮ（Ｗ／ｎｍ）を有し、かつ、上記（数式１）で示される照射強度の変動範囲が０．５以下である識別スペクトルと、青系波長範囲（４３０〜４８０ｎｍ）、及び赤系波長範囲（５８０〜６８０ｎｍ）の各々の波長範囲において、各々１つのピークを含み、かつ、該赤系波長範囲のピークの強度が最大のＰＥＡＫ（Ｗ／ｎｍ）を有するピークであって、上記（数式２）で示されるピークである擬似自然光形成スペクトルと、を合成したスペクトルの光を前記肌に照射可能なことを特徴とする肌色高認識性照明光照射システムに関するものである。
【発明の効果】
【００５１】
本発明によれば、人工爪又は指先の爪等の被装飾体上に短波長光硬化樹脂を塗布する際に短波長光硬化樹脂の塗布具合や色彩を判断しやすく、また人工爪又は指先の爪等の被装飾体上の短波長光硬化樹脂を硬化できる。
本発明によれば、従来に比べて動物や人間の肌の色を正確に識別できる。
【図面の簡単な説明】
【００５２】
【図１】本発明の第１実施形態の光照射システムの使用状況を模式的に表す斜視図である。
【図２】図１の光照射システムを模式的に示した斜視図である。
【図３】図２の光照射システムの分解斜視図である。
【図４】図２の光照射システムの断面図であり、主構成部材のみ図示している。
【図５】図３の擬似自然光照射部材を別の角度からみた斜視図である。
【図６】図５の擬似自然光照射部材の分解斜視図である。
【図７】本発明の第１実施形態の光照射システムの使用例の説明図であり、（ａ）は塗布工程を表す断面図であり、（ｂ）は硬化工程を表す断面図である。
【図８】本発明の他の実施形態の光照射システムの斜視図である。
【図９】本発明の他の実施形態の光照射システムの正面図である。
【図１０】本発明の他の実施形態の光照射システムの分解斜視図である。
【図１１】（ａ）は、フィンランド人（白人）：○、ネパール人（黄色人）：△、アフリカ人（黒人）：×の手のひらの反射スペクトルであり、K.S.Bersha  et  al.,  SPECTRAL  IMAGING  AND  ANALYSIS  OF  HUMAN  SKIN  (Univ.  Eastern  Finland  JUN2010,  CIMET)のデータをプロットしたものであり、（ｂ）は、（ａ）のグラフに波長域の境界を表示したものである。
【図１２】（ａ）酸化ヘモグロビン：実線、メラニン：破線の相対的反射スペクトルであり、（ｂ）は、（ａ）のグラフに波長域の境界を表示したものである。
【図１３】実施例１、参考例１、及び参考例２の有機ＥＬパネルの定格光放射スペクトルである。
【図１４】肌の色の認識性向上において理想的なスペクトルである。
【発明を実施するための形態】
【００５３】
まず、初めに、本発明の一つの様相である光照射システムについて詳述すると以下の通りである。
【００５４】
（光照射システム）
光照射システムは、肌色高認識性照明光照射システムであり、自然光下の動物や人間の肌の色を高認識するための照明光を肌に照射可能なシステムである。光照射システムは、特定の擬似自然光照射部材を含むことを特徴の一つとしている。
【００５５】
（擬似自然光照射部材）
擬似自然光照射部材は、拡散光を照射可能な面状光源を一又は複数含んでおり、後述する識別スペクトル及び擬似自然光形成スペクトルを合成した合成スペクトルの光を照射可能であることが好ましい。
擬似自然光照射部材は、上記した面状光源のうち、少なくとも１つの面状光源が有機ＥＬパネルであることがより好ましい。
当該有機ＥＬパネルは、そのＣＩＥ１３．３に準ずる演色評価数ＣＲＩが８０以上であり、かつ、その光照射スペクトルにおける４８０ｎｍの強度Ａ（Ｗ／ｎｍ）が、５８０ｎｍの強度Ｂ（Ｗ／ｎｍ）の０．８倍以上１．２倍以下であることがさらに好ましい。
当該有機ＥＬパネルは、後述する肌色高認識性と擬似自然光形成機能をもつ有機ＥＬ素子を含むことが特に好ましい。
【００５６】
擬似自然光照射部材は、少なくとも２つの面状光源を含んでいる。
これら２つの面状光源のうちの一方の面状光源は、擬似自然光形成面状光源であり、青系波長範囲のピーク及び赤系波長範囲のピークを有するスペクトルを有することが好ましい。これら２つの面状光源のうちの他方の面状光源は、肌色高認識性面状光源であり、青緑から緑系波長範囲に、１つの極大強度であるピークを有するスペクトルを有することが好ましい。これらの面状光源は、上記した有機ＥＬパネルであってもよい。
【００５７】
（識別スペクトル）  識別スペクトルは、主に肌の色の識別性を向上させるためのスペクトルであり、青緑から緑系波長範囲（４８０〜５８０ｎｍ）において、最大強度ＭＡＸ（Ｗ／ｎｍ）及び最小強度ＭＩＮ（Ｗ／ｎｍ）を有し、下記（数式１）で示される照射強度の変動範囲が０．５以下である。
【００５８】
【数３】
2017191769.tif 000005
【００５９】
（擬似自然光形成スペクトル）
擬似自然光形成スペクトルは、主に擬似自然光を形成するためのスペクトルである。
擬似自然光形成スペクトルは、青系波長範囲（４３０〜４８０ｎｍ）及び赤系波長範囲（５８０〜６８０ｎｍ）の各々の波長範囲において、各々１つのピークを有し、かつ、赤系波長範囲のピークの強度が最大のＰＥＡＫ（Ｗ／ｎｍ）有するピークであって、下記（数式２）で示されるピークを有する。
すなわち、擬似自然光形成スペクトルは、青系波長範囲（４３０〜４８０ｎｍ）の１つのピーク、赤系波長範囲（５８０〜６８０ｎｍ）の１つのピークがあり、赤系波長範囲の最大ピーク強度ＰＥＡＫ（Ｗ／ｎｍ）が識別スペクトルの最大強度ＭＡＸ（Ｗ／ｎｍ）より大きい。
【００６０】
【数４】
2017191769.tif 000006
【００６１】
（有機ＥＬ素子）
前記有機ＥＬ素子は、肌色高認識性と擬似自然光形成機能をもつ有機ＥＬ素子である。
有機ＥＬ素子は、陽極電極層と陰極電極層との間に第１〜第３の３つ発光ユニットを有し、これらのユニットは、互いに接続層を介して電気的に直列接続されている。
【００６２】
ここで、接続層は、この接続層と接する陽極側の発光ユニットに電子を注入し、かつ、この接続層と接する陰極側の発光ユニットに正孔を注入する。すなわち、接続層は、陽極側に隣接する発光ユニットに電子を注入し、陰極側に隣接する発光ユニットに正孔を注入する機能をもっている。
【００６３】
第１の発光ユニットは、青系波長範囲（４３０〜４８０ｎｍ）のピークを有する発光スペクトルを有するものである。
【００６４】
第２の発光ユニットは、４６０〜５３０ｎｍの波長範囲に１つの極大強度であるピークを有する発光スペクトルを有し、青緑波長範囲（４８０〜５３０ｎｍ）に１つの極大強度であるピークを有する発光スペクトルを有することが好ましい。
【００６５】
第３の発光ユニットは、赤系波長範囲（５８０〜６８０ｎｍ）のピーク、及び緑色波長範囲（５３０〜５８０ｎｍ）に１つの極大強度であるピークを有する発光スペクトルを有するものである。
【００６６】
さて、次に、以下の実施形態として示す擬似自然光照射部材３として、上記した擬似自然光照射部材を必要に応じて含む光照明システムについて説明する。
【００６７】
その概要を記載すると、短波長光硬化樹脂を硬化させて人工爪又は指先の爪上にネイルを形成するものであり、短波長光照射部材２と、擬似自然光照射部材３を有し、短波長光照射部材２は、筐体部１０内に短波長光照射光源１１を有し、筐体部１０は、その内部に人工爪又は指先を挿入可能な開口部１５を備え、短波長光照射光源１１は、開口部１５から人工爪又は指先を筐体部１０内に挿入した状態で、短波長光硬化樹脂に対して波長が４１０ｎｍ未満の短波長光を照射して短波長光硬化樹脂を硬化可能であり、擬似自然光照射部材３は、面状発光部材５０を有し、面状発光部材５０は、筐体部１０の外部に位置し、拡散光を照射可能である構成であり、その詳細は以下の通りである。
【００６８】
以下、本発明の実施形態について詳細に説明する。なお、以下の説明において、特に断りのない限り、図２の姿勢を基準とする。すなわち、被施術者１００側を正面とし、施術者１０１側を背面とする。
【００６９】
本発明の第１実施形態の光照射システム１は、ネイルサロン等で主に使用されるものである。光照射システム１は、図１のようにネイリスト等の施術者１０１が人工爪や被施術者１００の爪に対して、短波長光硬化樹脂を塗布してジェルネイルやスカルプチュア、ネイルポリッシュ、ジェルポリッシュ等のネイルを形成するものである。
以下の説明においては、被施術者１００の爪に短波長光硬化樹脂を塗布し、ネイルを形成する場合について説明する。
【００７０】
光照射システム１は、図２，図３から読み取れるように、短波長光照射部材２と、擬似自然光照射部材３を備えており、擬似自然光照射部材３は短波長光照射部材２に対して取り付けられている。
【００７１】
短波長光照射部材２は、短波長光を短波長光硬化樹脂に照射し、短波長光硬化樹脂を硬化する部材である。短波長光照射部材２は、図４のように、主要構成部材として、筐体部１０の内部に短波長光照射光源１１（以下、単に短波長光源１１ともいう）と、乾燥部１２を備えている。
筐体部１０は、少なくとも被施術者１００の指先を挿入可能な開口部１５を有した箱状体である。筐体部１０は、図３，図４から読み取れるように、その内部に硬化空間１６を有し、この硬化空間１６が底面形成部２１、天面形成部２２、及び側面形成部２３，２４，２５によって囲繞されたものである。
【００７２】
硬化空間１６は、短波長光硬化樹脂を硬化させるための空間である。硬化空間１６は、図４のように、開口部１５を経由して外部と連通した連通空間であり、開口部１５を介して被施術者１００の指先を挿入可能な挿入空間である。
【００７３】
底面形成部２１は、筐体部１０の底面を構成する壁部であり、内側面に内側載置部３０が形成されている。
内側載置部３０は、筐体部１０の内部であって、被施術者１００の指先を載置可能な部位である。内側載置部３０は、手形をした凹部３１を備えており、凹部３１に被施術者の指先を固定可能となっている。すなわち、凹部３１には、被施術者１００の指先を嵌めることが可能となっている。
【００７４】
天面形成部２２は、図３，図４から読み取れるように、筐体部１０の天面を構成し、底面形成部２１と上下方向に硬化空間１６を挟んで対向した壁部である。天面形成部２２は、その外側面に外側載置部３５を備えている。
外側載置部３５は、被施術者１００の指先を載置可能な部位であり、施術者１０１の作業台としても機能する。外側載置部３５は、手形をした凹部３６を備えており、凹部３６に被施術者１００の指先を固定可能となっている。すなわち、凹部３６には、被施術者１００の指先を嵌めることが可能となっている。
【００７５】
側面形成部２３，２４，２５は、底面形成部２１と天面形成部２２を接続する壁部である。
【００７６】
筐体部１０は、被施術者１００側からみて正面に開口部１５を備えている。
開口部１５は、筐体部１０の内部の硬化空間１６と外部を連通する連通開口であり、形成部２１，２２，２３，２５の正面側の端面によって構成される開口である。開口部１５は、被施術者１００の指先を挿通可能となっている。
【００７７】
短波長光源１１は、照射光として短波長光を内側載置部３０に対して照射可能な部位である。短波長光源１１は、フラッシュランプを光源とし、１秒間に複数回、照射光を照射可能となっている。
短波長光源１１から照射する照射光は、短波長光硬化樹脂を硬化可能な短波長光である。短波長光源１１から照射する照射光は、波長が４１０ｎｍ未満の短波長光であることが好ましく、３５０ｎｍ未満の紫外光であることがより好ましい。
本実施形態の短波長光源１１の照射光は、３５０ｎｍ未満の紫外光である。
【００７８】
短波長光源１１の１秒間当たりの照射光の照射回数は、２回以上１００回以下であることが好ましい。この範囲であれば、光源たるフラッシュランプに過度な負荷をかけずに照射光を照射することができる。
短波長光源１１は、総照射エネルギーが０．１Ｊ／ｃｍ2以上５．０Ｊ／ｃｍ2以下の照射光を照射可能であることが好ましい。この範囲であれば、内側載置部３０に被施術者１００の指先を載置した場合でも低温火傷を防止しつつ、短波長光硬化樹脂の硬化時間を短縮できる。
【００７９】
乾燥部１２は、硬化空間１６内を乾燥させ、短波長光硬化樹脂内の溶媒成分を揮発させる部位である。
【００８０】
擬似自然光照射部材３は、擬似自然光を再現し照射する部材であり、図５，図６から読み取れるように、主構成部材として、面状発光部材５０（５０ａ〜５０ｄ）（面状光源）と、固定部材５１と、制御装置５２を備えている。
【００８１】
面状発光部材５０は、面状に広がりをもって発光し、拡散光を照射する面状発光光源であり、円形又は多角形状の板状体である。本実施形態の面状発光部材５０は、四角形状の有機ＥＬパネルである。
面状発光部材５０が照射する拡散光は、白色光であり、ＪＩＳ  Ｚ  ８７２６に準じた平均演色評価数Ｒａが８０以上であることが好ましい。
面状発光部材５０は、３５０ｎｍ未満１０００ｎｍ以上の波長範囲の発光スペクトルを含まない拡散光を照射可能となっている。すなわち、面状発光部材５０の照射光は、３５０ｎｍ以上１０００ｎｍ未満の波長範囲の発光スペクトルのみをもっている。面状発光部材５０は、磁力発生手段を備えており、固定部材５１の固定部５７ａ，５７ｂ，５８，５９に対して着脱可能となっている。
【００８２】
固定部材５１は、正面視略コ字状の部材であり、図５のように、本体部５３（対向部）と、脚部５５，５６を備えている。
本体部５３は、横方向に延びた板状の部位であり、その下面に面状発光部材５０ａ，５０ｂを固定可能な固定部５７ａ，５７ｂを備えている。固定部５７ａ，５７ｂは、磁性体で形成された板体であり、面状発光部材５０ａ，５０ｂとの間の磁力によって面状発光部材５０ａ，５０ｂを支持可能となっている。
本体部５３の前後方向の長さは、５ｃｍ以上１５ｃｍ以下であることが好ましい。この範囲であれば、施術時に本体部５３によって被施術者１００の指先等が隠れにくく、本体部５３が邪魔になりにくい。
【００８３】
脚部５５は、本体部５３の長手方向の一方の端部から天地方向下方に向けて立設した長板状の部位である。脚部５５は、内側面に面状発光部材５０ｃを固定可能な固定部５８を備えている。
脚部５６は、本体部５３の長手方向の他方の端部から脚部５５と同一方向に立設した長板状の部位である。脚部５６は、その内側面であって、脚部５５の固定部５８と対向する位置に面状発光部材５０ｄを固定可能な固定部５９を備えている。
固定部５８，５９は、いずれも磁性体で形成された板体であり、面状発光部材５０ｃ，５０ｄとの間の磁力によって面状発光部材５０ｃ，５０ｄを支持可能となっている。
【００８４】
制御装置５２は、面状発光部材５０ａ〜５０ｄをオンオフ制御する装置であり、各面状発光部材５０ａ〜５０ｄに対して電力を供給する電源装置でもある。
【００８５】
短波長光硬化樹脂は、ジェル状の硬化樹脂であり、塗布前においては流動性をもっている。短波長光硬化樹脂は、短波長光源１１からの照射光によって硬化する硬化樹脂であって、面状発光部材５０ａ〜５０ｄからの照射光によっては実質的に硬化しない樹脂である。
ここでいう「照射光によって実質的に硬化しない」とは、照射光を当てたときに、その全成分の９８％以上が硬化しないことをいう。
【００８６】
短波長光硬化樹脂は、紫外光によって硬化する紫外光硬化樹脂であり、本実施形態では、波長が３５０ｎｍ未満の光を含んだ光を照射することによって硬化するものである。
【００８７】
続いて、本実施形態の光照射システム１の各部材の位置関係について説明する。
【００８８】
擬似自然光照射部材３は、図２のように短波長光照射部材２の外側を覆っている。擬似自然光照射部材３の本体部５３は、短波長光照射部材２の外側載置部３５の上方に位置し、外側載置部３５と対向している。本体部５３と外側載置部３５との間には、塗布空間６１が形成されている。塗布空間６１では、施術者１０１が被施術者１００の爪に短波長光硬化樹脂を塗布する塗布作業を実施可能となっている。
また、擬似自然光照射部材３の脚部５５，５６の間には、短波長光照射部材２が位置しており、脚部５５，５６は、側面形成部２３，２５と対面している。短波長光照射部材２の一部は、擬似自然光照射部材３の内側から前方側（被施術者１００側）に張り出している。
【００８９】
２枚の面状発光部材５０ａ，５０ｂは、固定部５７ａ，５７ｂに固定されており、その発光面６０ａ，６０ｂが天地方向下方向を向いている。すなわち、面状発光部材５０ａ，５０ｂは、塗布空間６１側を向いており、外側載置部３５に拡散光を照射可能となっている。面状発光部材５０ｃ，５０ｄは、脚部５５，５６の固定部５８，５９に固定されており、その発光面６０ｃ，６０ｄは、塗布空間６１側を向いている。すなわち、面状発光部材５０ｃ，５０ｄは互いに近接する方向を向いており、外側載置部３５に拡散光を照射可能となっている。
面状発光部材５０ｃ，５０ｄの発光面６０ｃ，６０ｄは、面状発光部材５０ａ，５０ｂの発光面６０ａ，６０ｂと異なる方向を向いている。すなわち、面状発光部材５０ｃ，５０ｄの発光面６０ｃ，６０ｄに直交する方向は、面状発光部材５０ａ，５０ｂの発光面６０ａ，６０ｂに直交する方向と平行ではなく、交差するかねじれの位置の関係となっている。制御装置５２は、一方の脚部５６に取り付けられており、固定部材５１内部の図示しない配線を介して各面状発光部材５０ａ〜５０ｄを発光制御可能となっている。
【００９０】
続いて、本実施形態の光照射システム１の使用例について説明する。なお、ここでは、被施術者１００の爪にネイルを形成する場合について説明する。
【００９１】
まず、施術者１０１は、被施術者１００に対して光照射システム１を挟んで対向するように着座し、制御装置５２の電源を入れて、面状発光部材５０ａ〜５０ｄを点灯させる。
【００９２】
このとき、面状発光部材５０ａ，５０ｂは、外側載置部３５に向かって拡散光を照射しており、面状発光部材５０ｃ，５０ｄは、外側載置部３５側であって面状発光部材５０ａ，５０ｂの照射方向に対して交差する方向に拡散光を照射している。
【００９３】
その後、施術者１０１は、塗布工程と硬化工程を実施して被施術者１００の爪に所望のネイルを形成する。
まず、施術者１０１は、図７（ａ）のように被施術者１００に指先を凹部３６に載置してもらい、擬似自然光照射部材３から光を照射し、被施術者１００の肌の色に合わせた短波長光硬化樹脂を選定する。そして、施術者１０１は、被施術者１００の爪の所望の領域に選定したジェル状の短波長光硬化樹脂を塗布する（塗布工程）。
【００９４】
このとき、面状発光部材５０ａ，５０ｂは、被施術者１００の指先や施術者１０１の手元の天地方向の投影面上に位置しており、面状発光部材５０ｃ，５０ｄは、被施術者１００の指先や施術者１０１の手元の水平方向の投影面上に位置している。すなわち、被施術者１００の指先や施術者１０１の手元は、面状発光部材５０ａ〜５０ｄから複数方向の光が照射されている。本実施形態では、被施術者１００の指先や施術者１０１の手元は、３方向から拡散光が照射されており、被施術者１００の指先や施術者１０１の手元付近に影がほとんど発生しない状態となっている。また、被施術者１００の指先や施術者１０１の手元は、面状発光部材５０ａ〜５０ｄから高い演色性をもつ拡散光が照射され、太陽光に近く柔らかい光で照らされている。そのため、施術者１０１は被施術者１００の指先の爪上の短波長光硬化樹脂の実際の色彩に近い色を確認可能となっている。
【００９５】
施術者１０１は、被施術者１００の爪の所望の領域に所望の短波長光硬化樹脂を塗布すると、図７（ｂ）のように被施術者１００に指先を短波長光照射部材２の開口部１５から筐体部１０内部に挿入させ、被施術者１００の指先を内側載置部３０の凹部３１に載置する。そして、短波長光照射部材２を駆動し、内側載置部３０上の被施術者１００の爪に塗布された短波長光硬化樹脂に短波長光を照射しながら乾燥させ、短波長光硬化樹脂を硬化させて被膜状のネイルを形成する（硬化工程）。
【００９６】
そして、被膜状のネイルが形成されて硬化工程が終了すると、必要に応じて再度塗布工程に移る。すなわち、施術者１０１は、被施術者１００の指先を凹部３６に載置して、被施術者１００の肌の色や爪上のネイルの色に合わせた短波長光硬化樹脂を選定し、被施術者１００の爪やネイルの所望の領域に選定した短波長光硬化樹脂を塗布する。
【００９７】
このような塗布工程と硬化工程を交互に繰り返して被施術者１００の爪上に膜状のネイルを形成していき、所望のネイルを形成する。
【００９８】
第１実施形態の光照射システム１によれば、面状発光部材５０ａ〜５０ｄに演色性の高い有機ＥＬパネルを使用している。そのため、施術者１０１は、被施術者１００の自然光での実際の肌の色を判断しやすく、被施術者１００の肌の色に合った短波長光硬化樹脂の色の選定に迷いが生じにくい。すなわち、光照射システム１によれば、高実際色彩装飾性を発揮できる。
【００９９】
第１実施形態の光照射システム１によれば、面状発光部材５０ａ〜５０ｄは照射する拡散光に３５０ｎｍ未満１０００ｎｍ以上の波長範囲の波長スペクトルを含まないので、塗布工程中に短波長光硬化樹脂が硬化しにくい。すなわち、第１実施形態の光照射システム１によれば、高装飾中硬化抑止性を発揮できる。また、従来に比べて短波長光による施術者１０１や被施術者１００の目の疲れが改善でき、長波長光による高温化を抑制できる。そのため、施術者１０１は、快適に施術を行うことができ、被施術者１００は、快適に施術を受けることができる。すなわち、第１実施形態の光照射システム１によれば、高快適装飾性を発揮できる。
【０１００】
第１実施形態の光照射システム１によれば、塗布工程の際に、複数の面状発光部材５０ａ〜５０ｄによって施術者１０１の手元や被施術者１００の指先を照らすので、施術者１０１の手元や被施術者１００の指先に影ができにくく、作業しやすい。
【０１０１】
第１実施形態の光照射システム１によれば、硬化空間１６と塗布空間６１が別の空間であって近接した空間であるので、被施術者１００は、一方の手の指先を硬化空間１６に入れながら、他方の手の指先を塗布空間６１に入れることができる。そのため、例えば、被施術者１００の右手の指の爪に短波長光硬化樹脂を塗布している間に左手の指の爪に塗布された短波長光硬化樹脂を硬化できる。それ故に、光照射システム１によれば、施術時間を短くできる。
【０１０２】
第１実施形態の光照射システム１によれば、人工爪又は指先の爪等の被装飾体上に短波長光硬化樹脂を塗布する際に、短波長光硬化樹脂の塗布具合や色彩を判断しやすい。
【０１０３】
第１実施形態の擬似自然光照射部材によれば、自然光に近い白色光であって、自然光下での動物や人間の肌色を再現できる。
【０１０４】
上記した実施形態では、本体部５３は、脚部５５，５６と連結されており、回動不能に支持されていたが、本発明はこれに限定されるものではない。本体部５３は、図８のように、脚部５５，５６に対して回動可能に支持されていてもよい。
【０１０５】
上記した実施形態では、面状発光部材５０ａ，５０ｂの発光面６０ａ，６０ｂは鉛直方向を向いていたが、本発明はこれに限定されるものではない。面状発光部材５０ａ，５０ｂの発光面６０ａ，６０ｂは鉛直方向に対して交差する方向に傾いていてもよい。この場合、面状発光部材５０ａ，５０ｂの発光面６０ａ，６０ｂは施術者１０１側に傾いていることが好ましい。
【０１０６】
上記した実施形態では、固定部材５１は正面視したときに「コ」字状であったが、本発明はこれに限定されるものではない。固定部材５１は円弧状であってもよい。すなわち、図９のように、本体部５３及び脚部５５，５６が連続した円弧を形成していてもよい。
この場合、面状発光部材５０は、フレキシブル基板を支持基板とし、可撓性をもった有機ＥＬパネルであることが好ましい。
【０１０７】
上記した実施形態では、外側載置部３５に凹部３６を設けていたが、本発明はこれに限定されるものではない。外側載置部３５に凹部３６を設けなくてもよい。同様に、内側載置部３０に凹部３１を設けていたが、本発明はこれに限定されるものではない。内側載置部３０に凹部３１を設けなくてもよい。
【０１０８】
上記した実施形態では、筐体部１０の天面形成部２２の一部を被施術者１００の指先を載置する外側載置部３５として機能させていたが、本発明はこれに限定されるものではなく、外側載置部３５と筐体部１０は別体であってもよい。例えば、図１０のように筐体部１０とは別体であって外側載置部３５をもつ載置部材７０を用意し、筐体部１０上に載置部材７０を載置してもよい。
【０１０９】
上記した実施形態では、本体部５３に対して２枚の面状発光部材５０ａ，５０ｂを設けていたが、本発明はこれに限定されるものではない。本体部５３に対して１枚の面状発光部材５０を設けていてもよいし、３枚以上の面状発光部材５０を設けていてもよい。
同様に、上記した実施形態では、脚部５５，５６に対してそれぞれ１枚の面状発光部材５０を設けていたが、本発明はこれに限定されるものではない。脚部５５，５６に対してそれぞれ３枚以上の面状発光部材５０を設けていてもよい。
【０１１０】
上記した実施形態では、本体部５３の長手方向に複数枚の面状発光部材５０が一列に並んでいたが本発明はこれに限定されるものではない。本体部５３の長手方向に複数列で並んでいてもよい。
【０１１１】
上記した実施形態では、被施術者１００の爪を硬化空間１６や塗布空間６１に挿入してネイルを形成したが、本発明はこれに限定されるものではない。スカルプチュア等の人工爪のみを硬化空間１６や塗布空間６１に挿入してネイルを形成してもよい。
【０１１２】
上記した実施形態では、短波長光照射部材２と擬似自然光照射部材３が一体的に取り付けられていたが、本発明はこれに限定されるものではなく、短波長光照射部材２と擬似自然光照射部材３は互いに着脱可能であってもよい。
【０１１３】
上記した実施形態では、筐体部１０の外面たる天面形成部２２の天面に外側載置部３５が形成されていたが、本発明はこれに限定されるものではない。外側載置部３５は、側面形成部２３，２５に形成されていてもよい。
【０１１４】
上記した実施形態では、短波長光硬化樹脂を硬化させて被装飾体たる爪上に装飾物たるネイルを形成していたが、本発明はこれに限定されるものではない。被装飾体は、爪以外であってもよいし、装飾物もネイル以外であってもよい。
被装飾体としては、例えば、ネックレスや指輪等のアクセサリーであってもよい。装飾物としては、例えば、ビーズ等であってもよい。
【０１１５】
上記した実施形態では、ネイルの色を判断するために擬似自然光照射部材を使用したが、本発明はこれに限定されるものではない。擬似自然光照射部材は、ネイルの色を判断するためだけではなく、医療現場等の人間や動物の肌の色を認識する際にも使用できる。
【０１１６】
上記した実施形態は、本発明の技術的範囲に含まれる限り、各実施形態間で各構成部材を自由に置換や付加することができる。
【実施例】
【０１１７】
以下、実施例により本発明を具体的に説明する。なお本発明は、以下の実施例に限定されるものではなく、その要旨を変更しない範囲で適宜変更して実施することができる。【０１１８】
（実施例１、参考例１、参考例２）
図１３に各々の定格光放射スペクトルを示す実施例１、参考例１、及び参考例２の有機ＥＬパネルを準備し、各々のパネルの放射光を照明光とし人間の手のひらに照射した状態で、ネイリストにネイルジェル色の選択のし易さにつき聞き取り調査を実施した。
定格における各パネルの演色評価数ＣＲＩ値は、実施例１＝８６、参考例１＝９１、参考例２＝８２でいずれも高演色性のパネルである。【０１１９】
その結果、実施例１の有機ＥＬパネルを用い照明した場合に最も容易に選択ができた、との回答が得られた。また、参考例１の有機ＥＬパネルでは黄色から琥珀色がかって観察され、参考例２の有機ＥＬパネルでは緑青色がかって観察された、との回答も得られた。【０１２０】
図１３の光放射スペクトルから計算される、４８０〜５８０ｎｍの波長範囲での最大強度（ＭＡＸ）及び最小強度（ＭＩＮ）、変動範囲、５８０〜６８０ｎｍの波長範囲での最大ピーク強度（ＰＥＡＫ）、及び（４８０ｎｍの強度Ａ）／（５８０ｎｍの強度Ｂ）（以下、単に「Ａ／Ｂ」と示す）は、各々以下の通りである。
なお、Ａは４８０ｎｍにおける強度であり、Ｂは５８０ｎｍにおける強度である。【０１２１】
実施例１：ＭＡＸ＝０．０４２、ＭＩＮ＝０．０２６、変動範囲＝０．４７、ＰＥＡＫ＝０．０７１、及びＡ／Ｂ＝０．０３４／０．０４２＝０．８１
すなわち、実施例１は、変動範囲が０．５以下であって、ＰＥＡＫがＭＡＸよりも大きく、Ａ／Ｂが０．８以上である。【０１２２】
参考例１：ＭＡＸ＝０．０４４、ＭＩＮ＝０．０１４、変動範囲＝１．０３、ＰＥＡＫ＝０．０７４、及びＡ／Ｂ＝０．０２１／０．０４１＝０．５１
すなわち、参考例１は、変動範囲が０．５超過であって、ＰＥＡＫがＭＡＸよりも大きく、Ａ／Ｂが０．８未満である。【０１２３】
参考例２：ＭＡＸ＝０．０４７、ＭＩＮ＝０．０１１、変動範囲＝１．２４、ＰＥＡＫ＝０．０７０、及びＡ／Ｂ＝０．０１９／０．０４９＝０．３９
すなわち、参考例２は、変動範囲が０．５超過であって、ＰＥＡＫがＭＡＸよりも大きく、Ａ／Ｂが０．８未満である。【０１２４】
実施例１、参考例１、及び参考例２は、演色評価数が高く、いずれも高演色性のパネルであるが、実施例１の変動範囲は参考例１及び参考例２の変動範囲よりも小さく、実施例１のＡ／Ｂは参考例１及び参考例２のＡ／Ｂよりも大きい。このことが、実施例１のパネルでより高認識性の照明が可能となっている原因と考えられる。【０１２５】
（想定実施例２）
肌色高認識性の面状光源と擬似自然光形成の面状光源の配置や照度を適切な配置や照度に設定して照明したり、適切なピーク強度やピーク幅をもつ光を放射するように、肌色高認識機能と擬似自然光形成機能を兼ね備える有機ＥＬ素子を内蔵する有機ＥＬパネルで照明したりする。こうすることによって、認識性の観点から図１４のような理想的なスペクトルに近づけることが好ましい。２種類以上の光源や有機ＥＬ素子内の反応場を使用して合成スペクトルで光を設計する場合には、青色の範囲にはピークを作るのが安価に製造する観点から好ましい。上記のように設定することによって、高い認識性及び自然光に近い白色光を照射可能となると考えられる。
【符号の説明】
【０１２６】
１  光照射システム
２  短波長光照射部材
３  擬似自然光照射部材
１０  筐体部
１１  短波長光照射光源
１５  開口部
３５  外側載置部（載置部）
５０，５０ａ〜５０ｄ  面状発光部材（面状光源）
５３  本体部（対向部）
６１  塗布空間
１００  被施術者
１０１  施術者
【図１】
2017191769.tif 000011
【図２】
2017191769.tif 000012
【図３】
2017191769.tif 000013
【図４】
2017191769.tif 000014
【図５】
2017191769.tif 000015
【図６】
2017191769.tif 000016
【図７】
2017191769.tif 000017
【図８】
2017191769.tif 000018
【図９】
2017191769.tif 000019
【図１０】
2017191769.tif 000020
【図１１】
2017191769.tif 000021
【図１２】
2017191769.tif 000022
【図１３】
2017191769.tif 000023
【図１４】
2017191769.tif 000024
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
短波長光硬化樹脂を硬化させて人工爪又は指先の爪上にネイルを形成する光照射システムであって、
短波長光照射部材と、擬似自然光照射部材を有し、
前記短波長光照射部材は、筐体部内に短波長光照射光源を有し、
前記筐体部は、その内部に前記人工爪又は指先を挿入可能な開口部を備え、
前記短波長光照射光源は、前記開口部から短波長光硬化樹脂が塗布された前記人工爪又は指先を前記筐体部内に挿入した状態で、前記短波長光硬化樹脂に対して波長が４１０ｎｍ未満の短波長光を照射して前記短波長光硬化樹脂を硬化可能であり、
前記擬似自然光照射部材は、少なくとも２つの面状光源を有し、
前記面状光源は、前記筐体部の外部に位置し、拡散光を照射可能であり、
前記２つの面状光源のうち、一方の面状光源は、他方の面状光源とは異なる方向から前記短波長光硬化樹脂に拡散光を照射可能であることを特徴とする光照射システム。
【請求項２】
前記筐体部は、その外面に前記人工爪又は指先を載置可能な載置部を有し、
前記面状光源は、前記人工爪又は指先を前記載置部に載置した状態において、拡散光を前記人工爪又は指先の爪に照射可能であることを特徴とする請求項１に記載の光照射システム。
【請求項３】
前記短波長光硬化樹脂は、紫外光硬化樹脂であり、
前記面状光源の拡散光は、３５０ｎｍ未満１０００ｎｍ以上の波長範囲の光を含まず、
前記短波長光照射光源は、波長が３５０ｎｍ未満の紫外光を照射可能であることを特徴とする請求項１又は２に記載の光照射システム。
【請求項４】
前記筐体部の天面又はその上方に前記人工爪又は指先を載置可能な載置部を有し、
前記擬似自然光照射部材は、前記載置部と空間を挟んで対向する対向部を有し、
前記対向部は、前記面状光源を支持しており、
前記空間は、前記人工爪又は指先を挿入可能であり、
前記面状光源は、前記人工爪又は指先を前記空間に挿入した状態で、前記人工爪又は指先の爪に対して拡散光を照射可能であることを特徴とする請求項１乃至３のいずれかに記載の光照射システム。
【請求項５】
短波長光硬化樹脂を硬化させて被装飾体上に装飾物を形成する光照射システムであって、
短波長光照射部材と、擬似自然光照射部材を有し、
前記短波長光照射部材は、筐体部内に短波長光照射光源を有し、
前記筐体部は、その内部に前記被装飾体を挿入可能な開口部を備え、
前記短波長光照射光源は、前記開口部から前記被装飾体を前記筐体部内に挿入した状態で、前記短波長光硬化樹脂に対して波長が４１０ｎｍ未満の短波長光を照射して前記短波長光硬化樹脂を硬化可能であり、
前記擬似自然光照射部材は、少なくとも２つの面状光源を有し、
前記面状光源は、前記筐体部の外部に位置し、拡散光を照射可能であり、
前記２つの面状光源のうち、一方の面状光源は、他方の面状光源とは異なる方向から前記短波長光硬化樹脂に拡散光を照射可能であることを特徴とする光照射システム。
【請求項６】
前記擬似自然光照射部材は、識別スペクトルと、擬似自然光形成スペクトルを合成した合成スペクトルの光を動物又は人間の肌に照射可能であり、
前記識別スペクトルは、４８０〜５８０ｎｍの青緑から緑系波長範囲において、最大強度ＭＡＸ及び最小強度ＭＩＮを有し、かつ、下記（数式１）で示される照射強度の変動範囲が０．５以下であり、
前記擬似自然光形成スペクトルは、４３０〜４８０ｎｍの青系波長範囲及び５８０〜６８０ｎｍの赤系波長範囲の各々の波長範囲において、各々１つのピークを含んでおり、さらに前記赤系波長範囲の最大ピーク強度ＰＥＡＫが下記（数式２）を満たすことを特徴とする請求項１乃至５のいずれかに記載の光照射システム。
【数１】
2017191769.tif 000025
【数２】
2017191769.tif 000026
【請求項７】
拡散光を照射可能な面状光源を１又は複数有する擬似自然光照射部材を備え、前記擬似自然光照射部材は、識別スペクトルと、擬似自然光形成スペクトルを合成した合成スペクトルの光を動物又は人間の肌に照射可能であり、
前記識別スペクトルは、４８０〜５８０ｎｍの青緑から緑系波長範囲において、最大強度ＭＡＸ及び最小強度ＭＩＮを有し、かつ、下記（数式１）で示される照射強度の変動範囲が０．５以下であり、
前記擬似自然光形成スペクトルは、４３０〜４８０ｎｍの青系波長範囲及び５８０〜６８０ｎｍの赤系波長範囲の各々の波長範囲において、各々１つのピークを含んでおり、さらに前記赤系波長範囲の最大ピーク強度ＰＥＡＫが下記（数式２）を満たすことを特徴とする光照射システム。
【数３】
2017191769.tif 000027
【数４】
2017191769.tif 000028
【国際調査報告】
2017191769.tif 000029
2017191769.tif 000030
2017191769.tif 000031
2017191769.tif 000032